(57)【要約】【課題】  本発明の目的は、一手でも容易にカニューレを引込むことができる操作の便利な引込み式医療用採血装置を提供する。【解決手段】  バレルと、カニューレ座と、カニューレと、ハブと、大径部の壁面に形成されている保持孔と係止手段とからなる保持機構と、外部から操作されるように構成され、操作されると、係止手段の係止を解除すると同時に、カニューレ座を前記後保持位置に摺動させる作動手段とを備えてなる。ハブはバレルの前開口端から脱着可能に連結部に外嵌し、且つ、そこを経由する血液を外から視認することができる嵌め部と、嵌め部から前方へ延伸していて前ニードル部を保持することができる保持部とからなる。【選択図】  図４
2006326339.tif 000002
【特許請求の範囲】
【請求項１】
前端開口と該前端開口を封じていて針で突き通されるストッパとを有する採血管を挿入して血液を採集するための引込み可能なカニューレ付き医療用採血装置において、
その軸方向上に互いに対向している前後２つの開口端と、該前後２つの開口端の間に延伸して該２つの開口端の開口を連通する通路を形成し、且つ、前記前開口端に近接している小径部と前記後開口端に近接している大径部とからなった周壁とを有するバレルと、
前後両端を有する直管状で、その後端が開口していて前記採血管の前端が挿入される周縁部と、該周縁部の前端縁から前方へ延伸しながら縮小し、前方の外界への小通路があるような連結部を形成してなっており、且つ、前記バレルの後開口端から、前記大径部の通路内に、前記軸方向に沿って前記小径部に近接した前保持位置と前記後開口端に近接した後保持位置との間に前後摺動可能に挿入保持されているカニューレ座と、
前記軸方向に沿っている一直線上に前後２つのニードル部がそれぞれ延伸してなり、且つ、その全体の前後両端がそれぞれ針先とされた上、該後ニードル部が前記カニューレ座の連結部の小通路を経由して前記カニューレ座内に延伸していて、前記採血管の前端が前記周縁部内に挿入されると、前記ストッパを前記後ニードル部の針先で突破するカニューレと、
前記前ニードル部を保持し、前記カニューレ座が前記前保持位置にある時、前記前ニードル部が前記バレルの前開口端から露出する使用状態にさせ、前記カニューレ座が前記後保持位置にある時、前記前ニードル部が前記バレルの前開口端内に没入する引込み状態にさせるように前記カニューレ座の連結部に配置されたハブと、
前記大径部の壁面に形成されている保持孔と、前記カニューレ座が前記前保持位置にある時、前記保持孔内に係止させられると共に、前記カニューレ座を係止し、前記前保持位置にあるカニューレ座の後方への摺動を阻止することができる係止手段とからなる保持機構と、
外部から操作されるように構成され、操作されると、前記係止手段の係止を解除すると同時に、前記カニューレ座を前記後保持位置に摺動させる作動手段とを備えてなり、
前記ハブは前記バレルの前開口端から脱着可能に前記連結部に外嵌し、且つ、そこを経由する血液を外から視認することができる嵌め部と、前記嵌め部から前方へ延伸していて前記前ニードル部を保持することができる保持部とからなることを特徴とする引込み式医療用採血装置。
【発明の詳細な説明】
【技術分野】
【０００１】
本発明は、医療用採血装置に関し、更に詳しくは、使用後に、カニューレをさらさずにバレル内に収納することができる引込み式医療用採血装置に関する。
【背景技術】
【０００２】
米国特許第５８１０７７５号に開示されている開閉可能なキャップ付き引込み式医療用具１は、図１及び図２に示すように、外管１１と、摺動管１２と、引込み座１３と、カニューレ１４と、ばね１５とを備えている。外管１１は、前端開口１１１と後端開口１１２とを有し、後端開口１１２にキャップ１６が後端開口１１２を閉鎖することができるように取付けられている。また、摺動管１２は、前端開口１２１と後端開口１２２とを有し、前端開口１２１が引込み座１３を介して外管１１の前端開口に設けられているストッパ１１３近くに密嵌されている。このようにして引込み座１３が摺動管１２の前端開口１２１に保持されている。また、カニューレ１４が前後両端１４２，１４１を有し、その前端１４２が前記外管の前端開口外に露出するように、引込み座１３に挿着されている。ばね１５が摺動管１２と引込み座１３との間に圧縮されている。
【０００３】
この医療用具１を使用して採血する際、先ず、カニューレ１４の前端１４２を患者の血管に穿刺する。そして、その先端にストッパーが付いている採血管（図示せず）を外管１１の後端開口１１１から外管１１内に挿入し、続いて前方へ押して摺動管１２内に挿入し、カニューレ１４の後端がまずゴム鞘１７、そして前記採血管の前記ストッパーを突き通した後、採血を行う。採血が完了した後、前記採血管を外管１１から取出す。そして、キャップ１６を閉めて摺動管１２の後端開口１２２に当接し、摺動管１２をストッパー１１２の方へ押付けて摺動させることにより、引込み座１３の摺動管１２に対する係止を解除し、引込み座１３を摺動管１２から脱出すると同時に、ばね１５の圧縮を釈放し、引込み座１３を押してカニューレ１４をつれて摺動管１２内に引込むことができる。
【０００４】
しかしながら、このような医療用具では、採血が完了した後、一手で前記外管を保持しながら、他の手でキャップ１６を閉めながら摺動管１２を押してカニューレ１４を摺動管１２内に引込まなければならないので、操作上にはかなり不便である。また、前記採血管の外径が摺動管１２の内径よりある程度小さいので、前記採血管と前記摺動管との間にかなりの隙間が生じ、採血中、前記採血管が揺れ、患者に疼痛を感じさせるという欠点もある。
【０００５】
また、図３に示すのは、静脈内カテーテル挿入装置の一例である。この静脈内カテーテル挿入装置９は、その前端にハブ９１１がついているカニューレ座９１と、カニューレ座９１に固定されているカニューレ９２と、カニューレ座９１に外嵌されているカテーテルハブ９３と、カテーテルハブ９３に固定され、カニューレ９２を挿通してその針先が外部に露出している可撓性カテーテル９４とを備えている。
【０００６】
このような静脈内カテーテル挿入装置を使用する際、まずカニューレ９２の針先で患者の血管を穿刺してから可撓性カテーテル９４をカニューレ９２と共に患者の血管に挿入する。それに引き続いて、一手でカニューレ９２をカテーテル９４から抜出しながら、他の手でカテーテル９４に圧力を与えてカテーテル９４を血管に留置する。そして、輸液器具または中空バレルをカテーテルハブ９３に接続して薬剤の注射または採血を行う。カニューレ９２をカテーテル９４から抜出した直後に、輸液または採血を行わなければならないので、カニューレ座９１及びカニューレ９２を身近な場所に置くが、外部に露出しているカニューレ９２の針先が誤って医療人員を傷つける事故が起こることがある。
【発明の開示】
【発明が解決しようとする課題】
【０００７】
上記に鑑みて、本発明の主な目的は、一手でも容易にカニューレを引込むことができる操作の便利な引込み式医療用採血装置を提供しようとすることにある。
【０００８】
また、本発明の他の目的は、静脈内カテーテル挿入装置として使用され、採血や薬剤の注射を行うことができ、誤刺し事故を避けることができる医療用採血装置を提供しようとすることにある
【課題を解決するための手段】
【０００９】
前記目的を達成するために、本発明は、前端開口と該前端開口を封じていて針で突き通されるストッパとを有する採血管を挿入して血液を採集するための引込み可能なカニューレ付き医療用採血装置において、
その軸方向上に互いに対向している前後２つの開口端と、該前後２つの開口端の間に延伸して該２つの開口端の開口を連通する通路を形成し、且つ、前記前開口端に近接している小径部と前記後開口端に近接している大径部とからなった周壁とを有するバレルと、
前後両端を有する直管状で、その後端が開口していて前記採血管の前端が挿入される周縁部と、該周縁部の前端縁から前方へ延伸しながら縮小し、前方の外界への小通路があるような連結部を形成してなっており、且つ、前記バレルの後開口端から、前記大径部の通路内に、前記軸方向に沿って前記小径部に近接した前保持位置と前記後開口端に近接した後保持位置との間に前後摺動可能に挿入保持されているカニューレ座と、
前記軸方向に沿っている一直線上に前後２つのニードル部がそれぞれ延伸してなり、且つ、その全体の前後両端がそれぞれ針先とされた上、該後ニードル部が前記カニューレ座の連結部の小通路を経由して前記カニューレ座内に延伸していて、前記採血管の前端が前記周縁部内に挿入されると、前記ストッパを前記後ニードル部の針先で突破するカニューレと、
前記前ニードル部を保持し、前記カニューレ座が前記前保持位置にある時、前記前ニードル部が前記バレルの前開口端から露出する使用状態にさせ、前記カニューレ座が前記後保持位置にある時、前記前ニードル部が前記バレルの前開口端内に没入する引込み状態にさせるように前記カニューレ座の連結部に配置されたハブと、
前記大径部の壁面に形成されている保持孔と、前記カニューレ座が前記前保持位置にある時、前記保持孔内に係止させられると共に、前記カニューレ座を係止し、前記前保持位置にあるカニューレ座の後方への摺動を阻止することができる係止手段とからなる保持機構と、
外部から操作されるように構成され、操作されると、前記係止手段の係止を解除すると同時に、前記カニューレ座を前記後保持位置に摺動させる作動手段とを備えてなり、
前記ハブは前記バレルの前開口端から脱着可能に前記連結部に外嵌し、且つ、そこを経由する血液を外から視認することができる嵌め部と、前記嵌め部から前方へ延伸していて前記前ニードル部を保持することができる保持部とからなることを特徴とする引込み式医療用採血装置を提供する。
【００１０】
上記構成による本発明の引込み式医療用採血装置は、一手で前記バレルを保持しながら、その手指で前記作動手段を操作すると、前記係止手段の係止を解除して前記カニューレ座を前記後保持位置に摺動させると同時に、前記カニューレを前記カニューレ座の摺動に従って前記バレル内に引込みすることができるので、一手でも容易に前記カニューレを前記バレル内に引込むことができる。
【００１１】
また、前記バレルにおける大径部の前記後開口端に近い内壁面に、複数の突起が周方向に沿って前記バレル内に形成されていることが好ましい。それにより、採血前に、予め前記採血管を前記バレルに挿入し、前記複数の突起で前記採血管を保持することができるので、採血中、採血管の揺れにより、患者に疼痛を感じさせることを避けることができる。
【００１２】
更に、本発明の引込み式医療用採血装置は、前後延伸し且つ前後両端開口を有するダクトが形成してあり、且つ、前記後端開口が脱着可能に前記小径部に外嵌しており、前記前端開口が前記後端開口から前方へ先細に延長してなったカテーテルハブと、前後２端部を有する直線的な細管状で、その後端部が前記カテーテルハブの前記前端開口から挿入固定されて前記ダクトと連通しているカテーテルとを更に備えており、前記前ニードル部は、その針先が前記カテーテルの前端部から前方へ露出するように前記カテーテル内を挿通している。
【発明の効果】
【００１３】
この構成によると、採血や薬剤の注射の時、前記ニードル部の針先で患者の血管を穿刺してから前記カテーテルをカニューレ９２と共に患者の血管に挿入する。このようにして従来のように、採血または薬剤の注入を行うことができる上、一手で前記作動手段を操作すると、前記係止手段の係止を解除すると同時に、前記カニューレ座を前記後保持位置に摺動させることができるので、前記カニューレが前記カニューレ座の摺動に従い、前記バレル内に引込みすることができるので、従来のような誤刺し事故を防止することができる。
【発明を実施するための最良の形態】
【００１４】
以下、図面を参照しながら、本発明の引込み式医療用採血装置の好ましい実施形態を説明する。
【００１５】
まず、図４乃至図７を参照しながら、本発明の引込み式医療用採血装置の第１の実施形態を説明する。本実施形態における引込み式医療用採血装置は、前端開口５２と前端開口５２を封じていて針で突き通されるストッパ５１とを有する採血管５（図６参照）を挿入して血液を採集するためのものであり、バレル２と、カニューレ座３と、カニューレ４１と、ハブ４０と、保持機構２３１，２３２と、作動手段３４とを備えている。
【００１６】
バレル２は、その軸方向上に互いに対向している前後２つの開口端２２４，２２３と、前後２つの開口端２２４，２２３の間に延伸して該２つの開口端の開口を連通する通路２１を形成し、且つ、前開口端２２４に近接している小径部２２５と後開口端２２３に近接している大径部２２９とからなった周壁２２とを有する。
【００１７】
カニューレ座３は、バレル２の後開口端２２３から、大径部２２の通路２１内に、前記軸方向に沿って小径部２２５に近接した前保持位置と後開口端２２３に近接した後保持位置との間に前後摺動可能に挿入保持されている。このカニューレ座３は、前後両端を有する直管状で、その後端が開口していて採血管５の前端５２が挿入される周縁部３２４と、周縁部３２４の前端縁から前方へ延伸しながら縮小し、前方の外界への小通路３２５があるような連結部３２２とを形成してなる。
【００１８】
カニューレ４１は、前記軸方向に沿っている一直線上に前後２つのニードル部４１３，４１１が一体的に形成されるようにそれぞれ延伸してなっている。且つ、カニューレ４１の全体の前後両端４１４，４１２がそれぞれ針先とされた上、後ニードル部４１１がカニューレ座３の連結部３２２の小通路３２５を経由してカニューレ座３内に延伸していて、採血管５の前端５２が周縁部３２４内に挿入されると、ストッパ５１を後ニードル部４１１の針先４１２で突破することができる。また、周縁部３２４内にゴム鞘４２が後ニードル部４１１を覆うように設けられている。
【００１９】
ハブ４０は前記軸方向に沿って延伸してなっていて連結部３２４の小通路３２５と連通しているカニューレ保持空間４０１を有し、カニューレ保持空間４０１内に前ニードル部４１３を保持し、カニューレ座３が前記前保持位置にある時、前ニードル部４１３がバレル２の前開口端２２４から露出する使用状態にさせ、カニューレ座３が前記後保持位置にある時、前ニードル部４１３がバレル２の前開口端２２４内に没入する引込み状態にさせるように、カニューレ座３の連結部３２２に一体的に配置されている。なお、小径部２２５の内壁面が大径部２２９から前開口端２２４へ徐々に先細に伸びている。従って、ハブ４０はバレル２における小径部２２５内に制限されていてバレル２の前端開口２２４から外すことを防止することができる上、採血時、皮膚及び皮下の血管を接近しやすい。
【００２０】
前記保持機構は、大径部２２９の壁面に形成されている保持孔２３１と、カニューレ座３が前記前保持位置にある時、保持孔２３１内に係止させられると共に、カニューレ座３を係止し、前記前保持位置にあるカニューレ座３の後方への摺動を阻止することができる係止手段２３２とからなる。
【００２１】
本実施形態において、保持孔２３１は通孔であり、且つ、バレル２における大径部２２９の壁面に、保持孔２３１から長形通孔２４が後方へ延伸してからその末端に前記後保持位置と対応する後保持孔２３３が形成されてなっている。また、長形通孔２４はそれぞれ保持孔２３１及び後保持孔２３３と前収縮部２５及び後収縮部２６を経由して連通している。
【００２２】
そして、係止手段２３２は、周縁部３２４の外壁面から突起してから長形通孔２４を経由して作動端として露出しており、カニューレ座３が前記前保持位置から前記後保持位置へ摺動する場合に、カニューレ座３の摺動に従い、長形通孔２４に沿って保持孔２３１から後保持孔２３３まで摺動することができる。従って、カニューレ座３がそれぞれ前記前保持位置及び前記後保持位置にある時、係止手段２３２が前後２収縮部２５，２６に制限され、保持孔２３１及び後保持孔２３３に係止されてその摺動を阻止される。
【００２３】
なお、大径部２２９の壁面に、更にスリット２７が後保持孔２３３からバレル２の後開口端２２３まで延伸するように形成されている。それにより、大径部２２９の可撓性がある程度増加させられたので、係止手段２３２が前後２つの保持孔２３１，２３３から前後２収縮部２５，２６を通過して長形通孔２４に入ることが容易になる上、スリット２７を経由して長形通孔２４内に押入され装置されることもできる。
【００２４】
また、作動手段３４は、外部から操作されるように構成され、操作されると、係止手段２３２の係止を解除すると同時に、カニューレ座３を前記後保持位置に摺動させるものである。本実施形態において、作動手段３４は、バレル２の周壁２２の外面２２２にあるように、係止手段２３２の作動端に連結されていて、操作されて長形通孔２４に沿って摺動すると、係止手段２３２もカニューレ座３をつれてそれに従って摺動することができる。
【００２５】
なお、小径部２２５の外周面に、複数の係止リブ２２６が前記軸方向に沿って延伸するように形成されている。小径部２２５に、前記複数の係止リブと係止して前端開口２２４外に露出している前ニードル部４１３を覆うプロテクター４５が外嵌している。
【００２６】
本実施形態の引込み式医療用採血装置は、最初、図５に示すように、係止手段２３２が保持孔２３１に係止されてカニューレ座３が前記前保持位置に保持されている状態にある。この採血装置を使用しようとする時、まず、プロテクター４５をバレルの小径部４５から取り外した後、前ニードル部４１３の針先４１４で患者の血管を穿刺する。この時、血液はカニューレ４１を経由してゴム鞘４２内に流れる。それから、図６に示すように、採血管５を前記バレル内に挿入し、続いて前方へ押してカニューレ座３内に挿入し、カニューレ４１の後ニードル部４１１の針先にまずゴム鞘４２、そして採血管５のストッパー５１を突き通させた後、採血を行う。
【００２７】
採血が完了した後、採血管５を取出す。そして、指で作動手段３４を操作し、係止手段２３２を長形通孔２４に沿って後保持孔２３３へ摺動させ、カニューレ座３をつれて前記後保持位置へ摺動させる。このようにして、図７に示すように、カニューレ４１をバレル２内に引込むことができる。
【００２８】
次に、図８及び図９に示すのは前記第１の実施形態の変形例である。本変形例において、前記第１の実施形態と異なる点は、バレル２における大径部２２９の後開口端２２４に、外からその内外壁面を挟んでいる内外環面を有し、且つ、前記内環面に複数の突起２８２が周方向に沿ってそれぞれ突出した環状リング２８が嵌接していることにある。それにより、採血前に、予め採血管５をバレル２に挿入し、複数の突起２８２で前記採血管を保持することができるので、採血中、採血管の揺れにより、患者に疼痛を感じさせることを避けることができる。
【００２９】
また、図１０に示すのは本発明の第２の実施形態である。本実施形態において、前記第１の実施形態と異なる点は、カニューレ４の前ニードル部４１３と後ニードル部４１１とが別体であり、カニューレ保持空間４０１がそれぞれ前ニードル部４１３及び後ニードル部４１１を保持する前後２エリア４０１３，４０１１と、前後２エリア４０１３，４０１１に連結され、そこを経由する血液を外から視認することができる表示可能な中間エリア４０２とからなっていることにある。それにより、前ニードル部４１３と前記後ニード部とはそれぞれ前後２エリア４０１３，４０１１に保持され、且つ、それらが中間エリア４０２を介して互いに連通することができるので、採血時、中間エリア４０２によりカニューレ４１が確実に患者の血管に穿刺されると確認することができる。
【００３０】
次に、図１１及び図１２に示すのは本発明の第３の実施形態である。本実施形態において、前記第２の実施形態と異なる点は前記作動手段の要素としては、バレル２の外壁面２２２に枢支されているトリガ６３を有する他、更に、カニューレ座３の周縁部３２４の外壁面とバレル２の内壁面２２１との間に、弾性附勢手段６１がカニューレ座３が前記後位置の方へ附勢するように介設されていることにある。更に詳しく説明すると、トリガ６３は、バレル２の外壁面２２２に嵌設されているＣクリップ６）を介してバレル２の外壁面２２２に枢支され、係止手段６３２と一体的に連結されている荷重端６３１と、作動されると、係止手段６３２を保持孔２３１による係止から釈放させることができる作動端６３３とを有する。
【００３１】
更に、バレル２における大径部２２の小径部２２５に近接した内壁面に環状肩部２２７が形成され、カニューレ座３の周縁部３２４の外壁面に前方へ環状肩部２２７と対面するように環状フランジが突出形成されている。また、弾性附勢手段６１はコイルばねであり、カニューレ座３が前記前保持位置にある時、それが環状肩部２２７と環状フランジ３２３との間に強制的に挟まれて前記附勢力を生じるとことができる。
【００３２】
採血が完了した後、トリガ６３の作動端６３３が指で押圧されると、係止手段６３２が保持孔２３１による係止から釈放されると同時に、前記弾性附勢手段の附勢力が釈放され、カニューレ座３が前記後保持位置へ押し付けられ、カニューレ４１をバレル２内に引込むことができる。
【００３３】
図１３に示すのは前記第３の実施形態の変形例である。本変形例において、前記第３の実施形態と異なる点は、保持孔２３１が２個あり、左右対称的にバレルにおける大径部の壁面に形成され、係止手段６３２もトリガ６３もそれに応じてそれぞれ２個あることにある。それにより、前記弾性附勢手段６１の附勢力を平衡にさせることができるので、前記カニューレ４１を穏やかに前記バレル内に引込むことができる。
【００３４】
図１４及び図１５に示すのは本発明の第４の実施形態である。本実施形態において、前記第２の実施形態と異なる点は、保持孔２３１は長形通孔２４の前端から周方向に延伸してなっていて、長形通孔２４に近接した近端部２４１と、長形通孔２４を遠ざかった遠端部２４２とを有し、前収縮部２５が近端部２４１と遠端部２４２との間に形成されており、作動手段３４の一構成要素として、他にカニューレ座３の周縁部の外壁面とバレル２の内壁面との間に、前記第３の実施形態と同様に、カニューレ座３にカニューレ座３を前記後保持位置の方へ移動させる附勢力を与える弾性附勢手段６１が介設されていることにある。それにより、係止手段２３２が遠端部２４２に置かれる時、その後方への摺動及びそれに伴うカニューレ座３の後方へ摺動が保持孔２３１の形状で完全に阻止されるので、そこに穏やかに係止されることができる。
【００３５】
また、図１６及び図１７に示すのは本発明の第５の実施形態である。本実施形態において、前記第４の実施形態と異なる点は、カニューレ座３の周縁部３２４の外壁面に環状突縁３６が突出形成され、バレル２の大径部２２９の内壁面に環状エッジ２２０が前方へ環状突縁３６と対面するように形成さ、且つ、弾性附勢手段７がその前後両端７１，７２でそれぞれ環状突縁３６及びエッジ２２０に引っ掛けていることにある。このようにして、弾性附勢手段７は、前記カニューレ座が前記前保持位置にある時、その前後両端７１，７２が引っ張られてカニューレ座３にカニューレ座３を前記後保持位置の方へ移動させる附勢力を与えることができる。
【００３６】
図１８及び図１９に示すのはそれぞれ本発明の第６の実施形態及び第７の実施形態である。この２つの実施形態において、前述した実施形態と異なる点は、更にカテーテルハブ４３１とカテーテル４３２とを備えていることにある。更に詳しく説明すると、カテーテルハブ４３１の中には、前後延伸し且つ前後両端開口４３６，４３５を有するダクト４３３が形成してある。後端開口４３５が脱着可能に小径部２２５の先端２２８に外嵌している。前端開口４３６が後端開口４３５から前方へ先細に延長してなった。
【００３７】
また、カテーテル４３２は前後２端部４３８，４３７を有する直線的な細管状で、その後端部４３７がカテーテルハブ４３１の前端開口４３６から挿入固定されてダクト４３３と連通している。前ニードル部４１３は、その針先４１４がカテーテル４３２の前端部４３８から前方へ露出するようにカテーテル４３２内を挿通している。
【００３８】
採血時、前ニードル部４１３の針先が患者の血管を穿刺すると同時に、前記カテーテルの前端部も患者の血管を穿刺する。そして、採血が完了した後、前ニードル部４１３をバレル２内に引込んでから、カテーテルハブ４３１の後端開口から小径部２２５の先端２２８が抜出されてカテーテル４３２がそのまま患者の血管に留置される。従って、続いてカテーテルハブ４３１に輸液器具が接続され、薬剤の注入を行うことができる。
【００３９】
また、図２０に示すのは本発明の第８の実施形態である。本実施形態において、前述した実施形態と異なる点は、ハブ４０がバレル２の前開口端２２４から脱着可能に連結部３２２に外嵌し、且つ、そこを経由する血液を外から視認することができる嵌め部４０４と、嵌め部４０４から前方へ延伸していて前ニードル部４１３を保持することができる保持部４０５とからなることにある。それにより、必要に応じて、適当な管径を有する前ニードル部４１３を使用することができる。
【００４０】
図２１に示すのは、本発明の第９の実施形態である。本実施形態において、前記第８の実施形態と異なる点はカテーテルハブ４３１とカテーテル４３２とを備えることにある。
【００４１】
更に詳しく説明すると、カテーテルハブ４３１の中には前後延伸し且つ前後両端開口４３６，４３５を有するダクト４３３が形成してあり、且つ、後端開口４３５が脱着可能にハブ４０の保持部４０５に外嵌している。前端開口４３６が後端開口４３５から前方へ先細に延長してなった。
【００４２】
また、カテーテル４３２は前後２端部４３８，４３７を有する直線的な細管状で、その後端部４３７がカテーテルハブ４３１の前端開口４３６から挿入固定されてダクト４３３と連通している。前ニードル部４１３は、その針先４１４がカテーテル４３２の前端部４３８から前方へ露出するようにカテーテル４３２内を挿通している。
【００４３】
上記のように、本発明の引込み式医療用採血装置は、一手で前記バレルを保持しながら、その手指で前記作動手段を操作すると、前記係止手段の係止を解除して前記カニューレ座を前記後保持位置に摺動させると同時に、前記カニューレを前記カニューレ座の摺動に従って前記バレル内に引込みすることができるので、一手でも容易に前記カニューレを前記バレル内に引込むことができる。
【００４４】
また、本発明の引込み式医療用採血装置は、前記バレルにおける大径部の前記後開口端に近い内壁面に、複数の突起が周方向に沿ってそれぞれ前記バレル内に突出するように形成されている実施形態であれば、採血前に、予め前記採血管を前記バレルに挿入し、前記複数の突起で前記採血管を保持することができるので、採血中、採血管の揺れにより、患者に疼痛を感じさせることを避けることができる。
【００４５】
更に、本発明の引込み式医療用採血装置は、前後延伸し且つ前後両端開口を有するダクトが形成してあり、且つ、前記後端開口が脱着可能に前記小径部に外嵌しており、前記前端開口が前記後端開口から前方へ先細に延長してなったカテーテルハブと、前後２端部を有する直線的な細管状で、その後端部が前記カテーテルハブの前記前端開口から挿入固定されて前記ダクトと連通しているカテーテルとを更に備えており、前記前ニードル部は、その針先が前記カテーテルの前端部から前方へ露出するように前記カテーテル内を挿通している実施形態であれば、採血や薬剤の注射の時、前記ニードル部の針先で患者の血管を穿刺してから前記カテーテルを前記カニューレと共に患者の血管に挿入する。このようにして従来のように、採血または薬剤の注入を行うことができる上、一手で前記作動手段を操作すると、前記係止手段の係止を解除すると同時に、前記カニューレ座を前記後保持位置に摺動させることができるので、前記カニューレが前記カニューレ座の摺動に従い、前記バレル内に引込みすることができるので、従来のような誤刺し事故を防止することができる。
【産業上の利用可能性】
【００４６】
上記のように、本発明は一手でも容易にカニューレを引込むことができる操作の便利な引込み式医療用採血装置を提供することができる。
【図面の簡単な説明】
【００４７】
【図１】米国特許第５８１０７７５号に開示されている引込み式医療用具を示す断面図である。
【図２】前記図１の医療用具におけるカニューレが外管内に引込んだ状態を示す断面図である。
【図３】従来の静脈内カテーテル挿入装置を示す分解図である。
【図４】本発明の第１の実施形態における引込み式医療用採血装置を示す分解図である。
【図５】前記第１の実施形態における引込み式医療用採血装置を示す断面図である。
【図６】前記第１の実施形態におけるカニューレ座が前保持位置にある状態を示す断面図である。
【図７】前記第１の実施形態におけるカニューレ座が後保持位置にある状態を示す断面図である。
【図８】前記第１の実施形態の変形例における引込み式医療用採血装置を示す断面図である。
【図９】前記変形例における環状リングを示す側面図である。
【図１０】本発明の第２の実施形態におけるカニューレ座が前保持位置にある状態を示す断面図である。
【図１１】本発明の第３の実施形態におけるカニューレ座が前保持位置にある状態を示す断面図である。
【図１２】本発明の第３の実施形態におけるカニューレ座が後保持位置にある状態を示す断面図である。
【図１３】本発明の第３の実施形態の変形例におけるカニューレ座が前保持位置にある状態を示す断面図である。
【図１４】本発明の第４の実施形態におけるカニューレ座が前保持位置にある状態を示す断面図である。
【図１５】本発明の第４の実施形態におけるカニューレ座が後保持位置にある状態を示す断面図である。
【図１６】本発明の第５の実施形態におけるカニューレ座が前保持位置にある状態を示す断面図である。
【図１７】本発明の第５の実施形態におけるカニューレ座が後保持位置にある状態を示す断面図である。
【図１８】本発明の第６の実施形態における引込み式医療用採血装置を示す部分断面図である。
【図１９】本発明の第７の実施形態における引込み式医療用採血装置を示す部分断面図である。
【図２０】本発明の第８の実施形態における引込み式医療用採血装置を示す部分断面図である。
【図２１】本発明の第９の実施形態における引込み式医療用採血装置を示す部分断面図である。
【符号の説明】
【００４８】
２        バレル
２１      通路
２２      周壁
２２０    環状エッジ
２２１    内壁面
２２２    外壁面
２２３    後開口端
２２４    前開口端
２２５    小径部
２２６    係止リブ
２２７    環状肩部
２２８    先端
２２９    大径部
２３１    保持孔
２３２    係止手段
２３３    後保持孔
２４      長形通孔
２４１    近端部
２４２    遠端部
２５      前収縮部
２６      後収縮部
２７      スリット
２８      環状リング
２８２    突起
３        カニューレ座
３２２    連結部
３２３    環状フランジ
３２４    周縁部
３２５    小通路
３４      作動手段
３６      環状突縁
４０      ハブ
４０１    カニューレ保持空間
４０１１  後エリア
４０１３  前エリア
４０２    中間エリア
４０４    嵌め部
４０５    保持部
４１      カニューレ
４１１    後ニードル部
４１２    針先
４１３    前ニードル部
４１４    針先
４２      ゴム鞘
４３１    カテーテルハブ
４３２    カテーテル
４３５    後端開口
４３６    前端開口
４３７    後端部
４３８    前端部
４５      プロテクター
５        採血管
５１      ストッパー
５２      前端開口
６１      弾性附勢手段
６２      Ｃクリップ
６３      トリガ
６３１    荷重端
６３２    係止手段
６３３    作動端
７        弾性附勢手段
７１      前端
７２      後端
【図１】
2006326339.tif 000003
【図２】
2006326339.tif 000004
【図３】
2006326339.tif 000005
【図４】
2006326339.tif 000006
【図５】
2006326339.tif 000007
【図６】
2006326339.tif 000008
【図７】
2006326339.tif 000009
【図８】
2006326339.tif 000010
【図９】
2006326339.tif 000011
【図１０】
2006326339.tif 000012
【図１１】
2006326339.tif 000013
【図１２】
2006326339.tif 000014
【図１３】
2006326339.tif 000015
【図１４】
2006326339.tif 000016
【図１５】
2006326339.tif 000017
【図１６】
2006326339.tif 000018
【図１７】
2006326339.tif 000019
【図１８】
2006326339.tif 000020
【図１９】
2006326339.tif 000021
【図２０】
2006326339.tif 000022
【図２１】
2006326339.tif 000023